(57)【要約】【課題】洗濯物の乾燥ムラを抑えることができると共に、洗濯物が撹拌翼に巻き込まれるのを防止できる洗濯機を提供する。【解決手段】洗濯槽(３)と、洗濯槽(３)内に洗濯物を吊り下げるハンガー(１００)を係止するためのハンガー係止部(４a,４b)と、ハンガー係止部(４a,４b)に係止させたハンガー(１００)により洗濯物(５０)が吊り下げられた洗濯槽(３)内に温風を供給するための乾燥ユニット(６)と、洗濯槽(３)内の底部に回転可能に取り付けられ、洗濯槽(３)内の流体を攪拌するための撹拌翼(２０)と、洗濯槽(３)内に撹拌翼(２０)の上側を覆うように着脱可能に取り付けられ、流体が通過可能な保護部材(１０)とを備える。【選択図】図１
2014076092.tif 000002
【特許請求の範囲】
【請求項１】
洗濯槽と、
上記洗濯槽内に洗濯物を吊り下げるハンガーを係止するためのハンガー係止部と、
上記ハンガー係止部に係止させた上記ハンガーにより上記洗濯物が吊り下げられた上記洗濯槽内に温風を供給するための乾燥ユニットと、
上記洗濯槽内の底部に回転可能に取り付けられ、上記洗濯槽内の流体を攪拌するための撹拌翼と、
上記洗濯槽内に上記撹拌翼の上側を覆うように着脱可能に取り付けられ、上記流体が通過可能な保護部材と
を備えたことを特徴とする洗濯機。
【請求項２】
請求項１に記載の洗濯機において、
上記保護部材は、弾性変形可能な材料からなり、
上記保護部材の弾性変形を利用して上記洗濯槽内に上記保護部材が保持されていることを特徴とする洗濯機。
【請求項３】
請求項１または２に記載の洗濯機において、
上記洗濯槽内の底部に上記保護部材を位置決めするための位置決め部を設けたことを特徴とする洗濯機。
【請求項４】
請求項１から３までのいずれか１つに記載の洗濯機において、
上記保護部材は、中央部に設けられた第１の穴と、周辺部に設けられた第２の穴とを有することを特徴とする洗濯機。
【請求項５】
請求項１から４までのいずれか１つに記載の洗濯機において、
上記撹拌翼は、
複数の貫通穴が設けられた円盤状の本体部と、
上記本体部の下面に放射状に延びるように設けられ、上記洗濯槽の内周壁に面する開放端を有する複数の溝部と、
上記本体部の下面側かつ上記溝部の底面から下方に向かって突設して径方向に延びる複数のブレード部と
を含むことを特徴とする洗濯機。
【発明の詳細な説明】
【技術分野】
【０００１】
この発明は、洗濯機に関し、詳しくは洗濯槽内に吊した洗濯物を乾燥させる乾燥機能を備えた洗濯機に関する。
【背景技術】
【０００２】
従来、洗濯機として、衣類を乾燥させるために、上蓋の裏面に取り付けられたハンガーに掛けた衣類を洗濯槽内に吊り下げて温風により乾燥するものがある(例えば、特開平０１−２４９０９７号公報(特許文献１)参照)。
【先行技術文献】
【特許文献】
【０００３】
【特許文献１】特開平０１−２４９０９７号公報
【発明の概要】
【発明が解決しようとする課題】
【０００４】
このような上蓋に衣類を吊り下げた状態で乾燥する洗濯機では、製品寸法の制約上、吊り下げた衣類が撹拌翼(パルセータ)に接触する可能性があるため、洗濯槽および撹拌翼は静止した状態で洗濯槽内へ温風を循環させて乾燥を行っている。このため、上記洗濯機では、洗濯槽内の温度が不均一になって乾燥効率が悪くなるため、乾燥ムラが起こりやすいという問題があった。
【０００５】
また、上記洗濯機において、誤った操作により洗濯運転が実行されると、洗濯槽の撹拌翼にハンガーに掛けられた衣類が絡みつき巻き込まれたり、誤った操作により脱水運転が実行されると、高速回転する洗濯槽にハンガーに掛けられた洗濯物が引っ掛かり、絡まったりする。このように、上記洗濯機において、衣類と撹拌翼が接触した状態で撹拌翼を回転すると、衣類がねじれ、吊り下げ部材及び衣類が損傷する危険性がある。
【０００６】
そこで、この発明の課題は、洗濯物の乾燥ムラを抑えることができると共に、洗濯物が撹拌翼に巻き込まれるのを防止できる洗濯機を提供することにある。
【課題を解決するための手段】
【０００７】
上記課題を解決するため、この発明の洗濯機は、
洗濯槽と、
上記洗濯槽内に洗濯物を吊り下げるハンガーを係止するためのハンガー係止部と、
上記ハンガー係止部に係止させた上記ハンガーにより上記洗濯物が吊り下げられた上記洗濯槽内に温風を供給するための乾燥ユニットと、
上記洗濯槽内の底部に回転可能に取り付けられ、上記洗濯槽内の流体を攪拌するための撹拌翼と、
上記洗濯槽内に上記撹拌翼の上側を覆うように着脱可能に取り付けられ、上記流体が通過可能な保護部材と
を備えたことを特徴とする。
【０００８】
また、一実施形態の洗濯機では、
上記保護部材は、弾性変形可能な材料からなり、
上記保護部材の弾性変形を利用して上記洗濯槽内に上記保護部材が保持されている。
【０００９】
また、一実施形態の洗濯機では、
上記洗濯槽内の底部に上記保護部材を位置決めするための位置決め部を設けた。
【００１０】
また、一実施形態の洗濯機では、
上記保護部材は、中央部に設けられた第１の穴と、周辺部に設けられた第２の穴とを有する。
【００１１】
また、一実施形態の洗濯機では、
上記保護部材の外縁部が上記洗濯槽の内周面に密着している。
【００１２】
また、一実施形態の洗濯機では、
上記保護部材の周辺部の上記第２の穴は、上記保護部材を着脱するための挟持部を兼ねたスリットである。
【００１３】
また、一実施形態の洗濯機では、
上記保護部材の上側に把手を設けた。
【００１４】
また、一実施形態の洗濯機では、
上記撹拌翼は、
複数の貫通穴が設けられた円盤状の本体部と、
上記本体部の下面に放射状に延びるように設けられ、上記洗濯槽の内周壁に面する開放端を有する複数の溝部と、
上記本体部の下面側かつ上記溝部の底面から下方に向かって突設して径方向に延びるブレード部と
を含む。
【発明の効果】
【００１５】
以上より明らかなように、この発明によれば、洗濯物の乾燥ムラを抑えることができると共に、洗濯物が撹拌翼に巻き込まれるのを防止できる洗濯機を実現することができる。
【図面の簡単な説明】
【００１６】
【図１】図１はこの発明の実施の一形態の洗濯機の側方から見た縦断面図である。
【図２】図２は保護部材を外した状態の洗濯機を側方から見た縦断面図である。
【図３】図３は上記洗濯機の保護部材の平面図である。
【図４】図４は上記保護部材の縦断面図である。
【図５】図５は上記洗濯機の撹拌翼の上面を示す斜視図である。
【図６】図６は上記洗濯機の撹拌翼の下面を示す斜視図である。
【図７】図７は把手を設けた保護部材の縦断面図である。
【発明を実施するための形態】
【００１７】
以下、この発明の洗濯機を図示の実施の形態により詳細に説明する。
【００１８】
図１はこの発明の実施の一形態の洗濯機の側方から見た縦断面図を示している。
【００１９】
この実施の形態の洗濯機は、図１に示すように、洗濯機は、金属または合成樹脂製の本体ケーシング１を備えている。本体ケーシング１は直方体形状に成形され、その上面および底面は開口部となっている。本体ケーシング１の上面開口部には操作パネル５等が設けられた合成樹脂製の上面板１１が固定されている。本体ケーシング１の底面開口部には、合成樹脂製のベース１２が固定されている。
【００２０】
上記洗濯機内に洗濯物を投入するための洗濯物投入口１aを上面板１１に設けている。その洗濯物投入口１aを開閉する上蓋４を、洗濯機の奧側で上面板１１に回動可能に支持している。上蓋４を上下に回動させて洗濯物投入口１aを開閉する。
【００２１】
また、本体ケーシング１内には、洗濯槽３とその洗濯槽３を収納する水槽２を収容している。洗濯槽３は、洗剤を溶かした水またはすすぎ用の水を溜める。水槽２および洗濯槽３は、上側が開口した有底筒状のカップの形状をしており、各々中心軸を垂直にして、水槽２を外側とし、洗濯槽３を内側とする形で同軸に配置されている。
【００２２】
洗濯槽３の上部開口部の縁に、洗濯物の脱水のため洗濯槽３を高速回転させたときに振動を抑制する働きをする環状のバランサ４０を装着している。洗濯槽３内の底面に撹拌翼２０を回転可能に配置している。
【００２３】
また、本体ケーシング１内の水槽２の下側に、クラッチ・ブレーキ機構３１とモータ３２とを有する駆動ユニット３０を取り付けている。このクラッチ・ブレーキ機構３１の回転軸３１aの先端に撹拌翼２０を取り付けている。
【００２４】
また、上記洗濯機は、本体ケーシング１内の上側かつ後面側に、ヒータ(図示せず)により加熱した乾燥用空気を送風ファン(図示せず)により洗濯槽３内に供給する乾燥ユニット６を備えている。この乾燥ユニット６は、洗濯槽３へと乾燥空気を吐出する吹出部６aと、その吹出部６aよりも上位置に洗濯槽３内の湿った空気を吸引する吸引部６bを備える。さらに、乾燥効率を上げるために、水槽２の上端部と上面板１１との間を連結する環状の蛇腹状の弾性体７が取り付けられている。これにより、水槽２を含め洗濯槽３と上蓋４との間の空間を気密状態にし、乾燥効率を上げることができる。また、上蓋４からの下部を乾燥空間として利用できる。
【００２５】
また、上記洗濯槽３内に撹拌翼２０の上側を覆うように保護部材１０を着脱可能に取り付けている。この保護部材１０は、弾性変形可能な樹脂材料からなり、保護部材１０の弾性変形を利用して洗濯槽３内に保護部材１０が保持されている。詳しくは、洗濯槽３内の環状の段部３cの径が保護部材１０の外周の径よりも小さく設定されており、保護部材１０を段部３cに嵌め込むときに保護部材１０が弾性変形して、段部３cの内周壁に保護部材１０の外周面が密着するようにしている。なお、保護部材１０の弾性変形を利用して洗濯槽３内に保護部材１０を保持する手段はこれに限らない。
【００２６】
上記洗濯機の上蓋４の裏面側にハンガー係止部４a,４bを設けている。このハンガー係止部４a,４bにハンガー１００を掛けることによって、乾燥ユニット６から洗濯槽３内に供給される乾燥空気により、狭い洗濯槽３内に吊された洗濯物５０を乾燥させる。
【００２７】
上記洗濯機の上蓋４の裏面のハンガー係止部４a,４bに、ハンガー１００のフック部１０１を掛けて、ハンガー１００に洗濯物５０を掛けた状態で乾燥させる。
【００２８】
図２は保護部材１０を外した状態の洗濯機を側方から見た縦断面図を示している。図２に示すように、洗濯槽３内の底部に保護部材１０を位置決めするための位置決め部の一例としての環状の段部３cを設けている。なお、位置決め部の形態はこれに限らず、突起などを利用して保護部材の位置決めをしてもよい。
【００２９】
図３は上記洗濯機の保護部材１０の平面図を示し、図４は保護部材１０の縦断面図を示している。
【００３０】
図３,図４示すように、保護部材１０は、凸球面を有する円盤状の本体部１０aと、その本体部１０aの中央部に設けられた複数の第１の穴１０bと、本体部１０aの周辺部に設けられた複数の第２の穴１０cとを有する。上記保護部材１０は、中央部に格子状に設けられた網部によって複数の第１の穴１０bが形成されている。また、保護部材１０は、互いに間隔をあけて周方向に複数の第２の穴１０cが形成されている。
【００３１】
上記保護部材１０の複数の第２の穴１０cは、保護部材１０を着脱するための挟持部を兼ねたスリットである。
【００３２】
次に、撹拌翼２０について説明する。
【００３３】
図５は上記洗濯機の撹拌翼２０の上面を示している。図５に示すように、撹拌翼２０は、円盤状の本体部２０aを有している。この撹拌翼２０の本体部２０aの上面は、外周縁に対して中心に行くほど深くなる盆状に形成されている。撹拌翼２０の本体部２０aの上面には、４つの羽根部２１が周方向９０°間隔で放射状に突出して形成されている。また、羽根部２１間に周方向に隣接する凹部２２が設けられている。洗濯時に撹拌翼２０が回転することによって、羽根部２１は洗濯槽３内に洗濯水(または空気)の流れを発生させる。
【００３４】
また、図６は上記洗濯機の撹拌翼２０の下面を示す斜視図を示している。図６に示すように、撹拌翼２０の本体部２０aの下面の中心に設けられた軸孔２６に回転軸３１a(図１に示す)の先端を固定している。また、撹拌翼２０の本体部２０aの表面に形成された羽根部２１(図５に示す)の裏側には溝部２７が形成されている。これにより、羽根部２１と溝部２７とは表裏一体の関係にある。また、溝部２７の外周側の開放端２７ａは洗濯槽３の周壁３b(図１に示す)に面する。
【００３５】
上記溝部２７の底面には径方向に延びる薄板状のブレード部２８が突設されている。このブレード部２８は、撹拌翼２０の中心に近い内端から径方向に一定の高さで水平に延びた後、外端に行くほど内周側に対して外周側の高さが徐々に低く形成されている。このような形状のブレード部２８は径方向に流体(洗濯水または空気)を掻くのに適する。したがって、撹拌翼２０の回転によって、ブレード部２８は撹拌翼２０と洗濯槽３の底壁３a(図１に示す)との間の洗濯水(または空気)を掻いて、溝部２７に沿って径方向の外側に強い水流(または空気流)を発生させる。
【００３６】
撹拌翼２０を回転させると、羽根部２１の表面には周方向に水流(または空気流)が発生する。また、凹部２２内には回転方向後方の羽根部２１の壁面に沿って径方向の外側に向かう水流が発生する。
【００３７】
撹拌翼２０の羽根部２１の表面には複数のリブ２３aが設けられ、撹拌翼２０の凹部２２の表面には複数のリブ２３bが設けられている。
【００３８】
具体的には、羽根部２１の上面には撹拌翼２０の径方向に延びる複数のリブ２３aが周方向に並設されている。このとき、外周側のリブ２３aの間隔が内周側よりも狭く形成されている。また、凹部２２の上面には撹拌翼２０の周方向に延びる複数のリブ２３bが径方向に並設される。このとき、リブ２３bは回転中心を中心とする円弧に対して湾曲し、羽根部２１に近い位置で回転中心からの距離が小さく、離れた位置で回転中心からの距離が大きくなっている。また、羽根部２１に近い位置のリブ２３bの間隔が離れた位置よりも狭く形成される。
【００３９】
上記撹拌翼２０の回転により洗濯水(または空気)の流れが発生すると、撹拌翼２０の表面に設けられたリブ２３a,２３bによって、撹拌翼２０の表面上において洗濯水(または空気)の境界層を破壊して摩擦抵抗を低減する。
【００４０】
上記撹拌翼２０の隣接するリブ２３a,２３bの間には、撹拌翼２０を貫通する多数の貫通穴２４が設けられている。この貫通穴２４は羽根部２１にも設けられている。撹拌翼２０の回転時、負圧となる撹拌翼２０裏側の空間へ貫通穴２４を介して吸い込まれる水流を発生させる。この水流によって、径方向外向きの流れが強化され、撹拌翼２０裏面全体にわたって放射状に径方向外向きの水流が発生する。
【００４１】
上記構成の洗濯機の洗濯運転において、洗濯物を洗濯槽３の中に投入し、図示しない制御装置によって運転開始を指令すると、給水弁を制御して洗濯槽３内の所定水位まで給水を行う。次に、洗濯工程に入ると、モータ３２の動力をクラッチ・ブレーキ機構３１と回転軸３１aを通じて撹拌翼２０に伝達し、撹拌翼２０を右回転・左回転交互に動作させる。この撹拌翼２０の動作に応じて、洗濯槽３内の洗濯物と洗濯水が撹拌され、洗濯物の洗浄が進行する。
【００４２】
また、上記洗濯機の乾燥運転において、ハンガー係止部４a,４bに係止させたハンガー１００により洗濯槽３内に洗濯物５０を吊り下げた状態で、洗濯槽３内の底部に取り付けられた撹拌翼２０を右回転または左回転の一方向に回転させながら、乾燥ユニット６から洗濯槽３内に温風を供給することによって、洗濯槽３内の温風を撹拌できるので、洗濯物５０に対して温風を均一に当てることが可能になり、洗濯物５０の乾燥ムラを抑えることができる。このとき、洗濯槽３内の底部に着脱可能に取り付けられた保護部材１０が撹拌翼２０の上側を覆うことによって、空気流が通過可能な保護部材１０が洗濯槽３内の温風の撹拌を妨げることがなく、洗濯物５０の乾燥ムラを抑えつつ、洗濯物５０が撹拌翼２０に巻き込まれるのを防止できる。
【００４３】
また、弾性変形可能な材料からなる保護部材１０が、弾性変形を利用して洗濯槽３内に保護部材１０が保持されることによって、取付機構を別に設けることなく、保護部材１０を洗濯槽３内に簡単に取り付けることができる。なお、洗濯槽３の入口開口がバランサ４０で狭くなっているので、保護部材１０は弾性体であることが好ましい。
【００４４】
また、上記洗濯槽３内の底部に設けられた位置決め部である段部３cよって保護部材１０を容易に位置決めすることができる。
【００４５】
また、上記保護部材１０の下側の撹拌翼２０が回転することにより、撹拌翼２０が中央から半径方向外向に気流を発生させる。これによって、洗濯槽３内の中央域の空気が下方の保護部材１０の中央部の第１の穴１０bから吸い込まれた後、保護部材１０の周辺部の第２の穴１０cから吹き出して、洗濯槽３内の内壁面に沿って上方に流れ、洗濯槽３内で循環気流が形成される。したがって、洗濯物５０の乾燥ムラを効果的に抑えることができる。
【００４６】
また、上記保護部材１０の外縁部が洗濯槽３の内周面に密着していることによって、保護部材１０の外縁部が洗濯槽３の内周面との間から空気が吹き出すことがなく、保護部材１０の周辺部の第２の穴からの吹出風が乱れないので、攪拌翼２０による送風性能が向上して洗濯槽３内に良好な循環気流を形成でき、乾燥ムラを抑制する効果が向上する。
【００４７】
また、上記保護部材１０の周辺部の第２の穴を、保護部材１０を着脱するための挟持部を兼ねたスリットとすることにより、別に把手などを設けることなく、保護部材１０の周辺部の第２の穴１０cであるスリットに指を入れて挟持しながら、保護部材１０を容易に着脱することができる。
【００４８】
また、図７に示すように、保護部材１０の上側に把手７０を設けることによって、保護部材１０を容易に着脱することができ、作業性が向上する。なお、保護部材に設ける把手はこれに限らず、把手の形状は保護部材の形状や洗濯槽の構造に応じて適宜設定すればよい。
【００４９】
また、上記撹拌翼２０の回転によって、ブレード部２８が撹拌翼２０と洗濯槽３の底面との間の空気を掻いて、溝部２７に沿って径方向の外側に強い空気(または洗濯水)の流れが発生する。この空気(または洗濯水)の流れは溝部２７の開放端から洗濯槽３の内周壁に沿って洗濯槽３上部へ上昇する。このとき、撹拌翼２０の下側に生じた負圧によって、撹拌翼２０の上側から本体部２０aに設けられた複数の貫通穴２４を介して撹拌翼２０の下側に空気(または洗濯水)が流入する。これにより、撹拌翼２０の上側および下側の両方で中央から半径方向外向に気流を発生させるので、乾燥運転(または洗濯運転)時に洗濯槽３内の空気(または洗濯水)を効率よく攪拌できる。
【００５０】
上記実施の形態では、凸球面を有する円盤状の保護部材１０を備えた洗濯機について説明したが、保護部材１０の形態はこれに限らない。
【００５１】
また、上記実施の形態では、保護部材１０に第１の穴１０bと第２の穴１０cを設けたが、第１の穴と第２の穴の配置や形状および数は保護部材や撹拌翼の形状などに応じて適宜設定すればよい。
【００５２】
また、上記実施の形態では、送風ファンとヒーターとを有する乾燥ユニットに限らず、除湿器を備えた乾燥ユニットでもよいし、ヒートポンプ式の乾燥ユニットでもよい。
【００５３】
この発明の具体的な実施の形態について説明したが、この発明は上記実施の形態に限定されるものではなく、この発明の範囲内で種々変更して実施することができる。
【００５４】
この発明の洗濯機は、
洗濯槽３と、
上記洗濯槽３内に洗濯物５０を吊り下げるハンガー１００を係止するためのハンガー係止部４a,４bと、
上記ハンガー係止部４a,４bに係止させた上記ハンガー１００により上記洗濯物５０が吊り下げられた上記洗濯槽３内に温風を供給するための乾燥ユニット６と、
上記洗濯槽３内の底部に回転可能に取り付けられ、上記洗濯槽３内の流体を攪拌するための撹拌翼２０と、
上記洗濯槽３内に上記撹拌翼２０の上側を覆うように着脱可能に取り付けられ、上記流体が通過可能な保護部材１０と
を備えたことを特徴とする。
【００５５】
上記構成によれば、ハンガー係止部４a,４bに係止させたハンガー１００により洗濯槽３内に洗濯物５０を吊り下げた状態で、洗濯槽３内の底部に取り付けられた撹拌翼２０を回転させながら、乾燥ユニット６から洗濯槽３内に温風を供給することによって、洗濯槽３内の流体である温風を撹拌できるので、洗濯物５０に対して温風を均一に当てることが可能になり、洗濯物５０の乾燥ムラを抑えることができる。このとき、洗濯槽３内の底部に着脱可能に取り付けられた保護部材１０が撹拌翼２０の上側を覆うことによって、空気流が通過可能な保護部材１０が洗濯槽３内の温風の撹拌を妨げることがなく、洗濯物５０の乾燥ムラを抑えつつ、洗濯物５０が撹拌翼２０に巻き込まれるのを防止できる。
【００５６】
また、一実施形態の洗濯機では、
上記保護部材１０は、弾性変形可能な材料からなり、
上記保護部材１０の弾性変形を利用して上記洗濯槽３洗濯槽３内に上記保護部材１０が保持されている。
【００５７】
上記実施形態によれば、弾性変形可能な材料からなる保護部材１０が、弾性変形を利用して洗濯槽３内に保護部材１０が保持されることによって、取付機構を別に設けることなく、保護部材１０を洗濯槽３内に簡単に取り付けることができる。
【００５８】
また、一実施形態の洗濯機では、
上記洗濯槽３内の底部に上記保護部材１０を位置決めするための位置決め部３cを設けた。
【００５９】
上記実施形態によれば、洗濯槽３内の底部に設けられた位置決め部３cによって保護部材１０を容易に位置決めすることができる。
【００６０】
また、一実施形態の洗濯機では、
上記保護部材１０は、中央部に設けられた第１の穴１０bと、周辺部に設けられた第２の穴１０cとを有する。
【００６１】
上記実施形態によれば、保護部材１０の下側の撹拌翼２０が回転することにより、撹拌翼２０が中央から半径方向外向に気流を発生させる。これによって、洗濯槽３内の中央域の空気が下方の保護部材１０の中央部の第１の穴１０bから吸い込まれた後、保護部材１０の周辺部の第２の穴１０cから吹き出して、洗濯槽３内の内壁面に沿って上方に流れ、洗濯槽３内で循環気流が形成される。したがって、洗濯物５０の乾燥ムラを効果的に抑えることができる。
【００６２】
また、一実施形態の洗濯機では、
上記保護部材１０の外縁部が上記洗濯槽３の内周面に密着している。
【００６３】
上記実施形態によれば、保護部材１０の外縁部が洗濯槽３の内周面に密着していることによって、保護部材１０の外縁部が洗濯槽３の内周面との間から空気が吹き出すことがなく、保護部材１０の周辺部の第２の穴１０cからの吹出風が乱れないので、攪拌翼による送風性能が向上して洗濯槽３内に良好な循環気流を形成でき、乾燥ムラを抑制する効果が向上する。
【００６４】
また、一実施形態の洗濯機では、
上記保護部材１０の周辺部の上記第２の穴１０cは、上記保護部材１０を着脱するための挟持部を兼ねたスリットである。
【００６５】
上記実施形態によれば、保護部材１０の周辺部の第２の穴１０cを、保護部材１０を着脱するための挟持部を兼ねたスリットとすることにより、別に把手などを設けることなく、保護部材１０の周辺部の第２の穴１０cであるスリットに指を入れて挟持しながら、保護部材１０を容易に着脱することができる。
【００６６】
また、一実施形態の洗濯機では、
上記保護部材１０の上側に把手７０を設けた。
【００６７】
上記実施形態によれば、保護部材１０の上側に把手を設けることによって、保護部材１０を容易に着脱することができ、作業性が向上する。
【００６８】
また、一実施形態の洗濯機では、
上記撹拌翼２０は、
複数の貫通穴２４が設けられた円盤状の本体部２０aと、
上記本体部２０aの下面に放射状に延びるように設けられ、上記洗濯槽３の内周壁に面する開放端を有する複数の溝部２７と、
上記本体部２０aの下面側かつ上記溝部２７の底面から下方に向かって突設して径方向に延びるブレード部２８と
を含む。
【００６９】
上記実施形態によれば、撹拌翼２０の回転によって、本体部２０aの下面側かつ上記溝部２７の底面から下方に向かって突設して径方向に延びるブレード部２８が、撹拌翼２０と洗濯槽３の底面との間の空気を掻いて、溝部２７に沿って径方向の外側に強い空気(または洗濯水)の流れが発生する。この空気の流れは溝部２７の開放端から洗濯槽３の内周壁に沿って洗濯槽３上部へ上昇する。このとき、撹拌翼２０の下側に生じた負圧によって、撹拌翼２０の上側から本体部２０aの設けられた複数の貫通穴２４を介して撹拌翼２０の下側に空気(または洗濯水)が流入する。これにより、撹拌翼２０の上側および下側の両方で中央から半径方向外向に気流(または水流)を発生させるので、乾燥運転(または洗濯運転)時に洗濯槽３内の空気(または洗濯水)を効率よく攪拌できる。
【符号の説明】
【００７０】
１…本体ケーシング
２…水槽
３…洗濯槽
３a…底壁
３b…周壁
３c…段部
４…上蓋
４a,４b…ハンガー係止部
５…操作パネル
６…乾燥ユニット
７…弾性体
１０…保護部材
１０a…本体部
１０b…第１の穴
１０c…第２の穴
１１…上面板
１２…ベース
２０…撹拌翼
２０a…本体部
２１…羽根部
２２…凹部
２３a,２３b…リブ
３０…駆動ユニット
３１…クラッチ・ブレーキ機構
３２…モータ
４０…バランサ
５０…洗濯物
７０…把手
１００…ハンガー
【図１】
2014076092.tif 000003
【図２】
2014076092.tif 000004
【図３】
2014076092.tif 000005
【図４】
2014076092.tif 000006
【図５】
2014076092.tif 000007
【図６】
2014076092.tif 000008
【図７】
2014076092.tif 000009